(57)【要約】【課題】透ける効果のある染め貼り絵布、を提供する。【解決手段】本発明の寒冷紗を用いた染め貼り絵布は、木綿製の寒冷紗による基布層を底面とし、該底面に複数の絵柄を配置した図柄層を透明性の接着剤で接着し、更に該図柄層の上面に木綿製の寒冷紗による表布層を透明性の接着剤で接着した寒冷紗を用いた染め貼り絵布において、前記基布層は寒冷紗を台紙として背景色、背景絵柄、薄色の淡色等に彩色を施し、前記図柄層は木綿製の寒冷紗を花柄、葉っぱ、茎、枝、細幅のテープ状、木綿糸形状等の部品に切断した絵柄のいずれかを複数個選択して彩色を施し前記基布層に配置して接着し、前記表布層は寒冷紗を台紙として絵柄の彩色を施した、ことを特徴とする。【選択図】図１
2008080544.tif 000002
【特許請求の範囲】
【請求項１】
寒冷紗による基布層と、該基布層の上面に絵柄を配置した図柄層と、を積層したことを特徴とする寒冷紗を用いた染め貼り絵布。
【請求項２】
木綿製の寒冷紗による複数の基布層と複数の絵柄を配置した複数の図柄層とを透明性の接着剤で接着して積層した寒冷紗を用いた染め貼り絵布であって、
前記複数の基布層のうち選択された１枚の基布層を底面とすることを特徴とする寒冷紗を用いた染め貼り絵布。
【請求項３】
木綿製の寒冷紗による基布層を底面とし、該底面に複数の絵柄を配置した図柄層を透明性の接着剤で接着し、更に該図柄層の上面に木綿製の寒冷紗による表布層を透明性の接着剤で接着した寒冷紗を用いた染め貼り絵布において、
前記基布層は寒冷紗を台紙として該台紙に背景色、背景絵柄、薄色の淡色等に彩色を施し、又は該台紙の生地色とし、
前記図柄層は木綿製の寒冷紗を台紙として該台紙に絵柄の彩色を施し、又は木綿製の寒冷紗を花柄、葉っぱ、茎、枝、細幅のテープ状、木綿糸形状等の部品に切断した絵柄のいずれかを複数個選択して彩色を施し該選択した複数個の絵柄を木綿製の寒冷紗の台紙に配置して接着剤で接着し若しくは前記基布層に配置して接着し、
前記表布層は寒冷紗を台紙として該台紙に絵柄の彩色を施し、又は該表皮層の台紙を生地色とした、
ことを特徴とする寒冷紗を用いた染め貼り絵布。
【請求項４】
前記請求項３記載の寒冷紗を用いた染め貼り絵布において、
最底面に木綿製の寒冷紗による基布層を透明性の接着剤で接着した、
ことを特徴とする寒冷紗を用いた染め貼り絵布。
【請求項５】
木綿製の寒冷紗による基布層と複数の絵柄を配置した図柄層とを透明性の接着剤で接着して単層とし、該単層を複数枚重ねて透明性の接着剤で接着して積層した寒冷紗を用いた染め貼り絵布であって、
前記積層された基布層のうち選択された１枚の基布層を底面とし、且つ最上層には更に木綿製の寒冷紗による表皮層を接着してなることを特徴とする寒冷紗を用いた染め貼り絵布。
【請求項６】
前記請求項５に記載の寒冷紗を用いた染め貼り絵布において、
前記基布層は寒冷紗を台紙として該台紙に背景色、背景絵柄、薄色の淡色等に彩色を施し、又は該台紙の生地色とし、
前記図柄層は木綿製の寒冷紗を台紙として該台紙に絵柄の彩色を施し、
又は
木綿製の寒冷紗を花柄、葉っぱ、茎、枝、細幅のテープ状、木綿糸形状等の部品に切断した絵柄のいずれかを複数個選択して彩色を施し該選択した複数個の絵柄を木綿製の寒冷紗の台紙に配置して接着剤で接着し
若しくは前記基布層に配置して接着し、
前記表布層は寒冷紗を台紙として該台紙に絵柄の彩色を施し、又は該表皮層の台紙を生地色とした、
ことを特徴とする寒冷紗を用いた染め貼り絵布。
【請求項７】
前記請求項６記載の寒冷紗を用いた染め貼り絵布において、
最底面に木綿製の寒冷紗による基布層を透明性の接着剤で接着した、
ことを特徴とする寒冷紗を用いた染め貼り絵布。
【発明の詳細な説明】
【技術分野】
【０００１】
本発明は、自然光や照明に透かしたときに、透ける効果のある寒冷紗を用いた染め貼り絵布に関するものである。
【背景技術】
【０００２】
特許文献１に記載の発明には、「布地を素材とする貼絵に関し、一定の形状に切断された断片を台紙等に貼着する方法によって「押絵」と「布絵」に区別されている。」と開示されている。
【０００３】
また、特許文献２に記載の考案には、「上記課題を解決するため、この考案にあっては、まず、透光性の表板の表面に切紙絵模様が形成されているとともに、裏面にはその切紙絵模様の全てを被う大きさの不透光性の裏板が設けられ、この裏板表面は和紙からなってその和紙には前記切紙絵模様の切欠部に対応する着色が施されてなる構成としたのである。また、透光性の板の一面に、白色プラスチックシート及び和紙模様の透光性プラスチックシートが順々に積層され、その透光性プラスチックシートの表面に切紙絵模様が形成されており、かつ前記両プラスチックシート間には前記切紙絵模様の切欠部に対応する着色のシートが介在されてなる構成とすることもできる。ここで、透光性とは、光を透過し得る性質をいう。このように構成するこの考案に係る装飾用絵画は、切紙絵模様の切欠部を通して、その裏面の和紙及び着色の色感が滲み出る。このため、今までになかった切紙絵の絵画となる。」と開示されている。
【０００４】
しかしながら、特許文献１及び特許文献２の「押絵」、「布絵」、「切り絵」等では、自然光や照明に透かしたときに、透ける効果に今ひとつの感じがあった。
【０００５】
【特許文献１】特開昭５６−１２６１９９号公報（第１頁右欄４行目〜６行目）
【特許文献２】実開平０５−２９７９９号公報（第4頁２３行目〜第５頁８行目）
【発明の開示】
【発明が解決しようとする課題】
【０００６】
そこで、本発明は上記に鑑みてなされたもので、その課題は、透ける効果のある染め貼り絵布、を提供することである。
【課題を解決するための手段】
【０００７】
上記目的を達成するために、具体的には、下記のような手段を取った。
【０００８】
請求項１に記載の本発明の寒冷紗を用いた染め貼り絵布は、寒冷紗による基布層と、該基布層の上面に絵柄を配置した図柄層と、を積層したことを特徴とする。
【０００９】
すなわち、請求項１の本発明は、寒冷紗による台紙を基布層として、該基布層の上面に図柄層としての複数の花柄、葉っぱ、茎、テープ状の絵柄、等の絵柄を積層（すなわち、積み重ねること）したものである。該図柄層としては、単一の絵柄を配置しても良い。また、該基布層に図柄層を積層するには、該図柄層を基布層に透明性の接着剤で接着しても良い。尚、該図柄層を基布層に透明性の接着剤で接着しない場合には、周知の額縁に入れることによって、該基布層と図柄層とを額縁のガラス板と裏板との間に挟みこむこととなる。また、該図柄層としては、寒冷紗による台紙に複数の花柄、葉っぱ、茎、テープ状の絵柄、等の絵柄を配置したものもある。この場合の図柄層としては、各絵柄を接着剤で接着して配置しても良い。
【００１０】
請求項２に記載の本発明の寒冷紗を用いた染め貼り絵布は、木綿製の寒冷紗による複数の基布層と複数の絵柄を配置した複数の図柄層とを透明性の接着剤で接着して積層した寒冷紗を用いた染め貼り絵布であって、前記複数の基布層のうち選択された１枚の基布層を底面とすることを特徴とする。
【００１１】
すなわち、請求項２の本発明は、寒冷紗による基布層を複数個準備し、更に複数の花柄、葉っぱ、茎、テープ状の絵柄、等の絵柄を配置した図柄層を複数個準備して、１枚の基布層を底面にし、その上面に複数の基布層及び複数の図柄層をランダム（順不同）に透明性の接着剤で接着して積層したものである。また、最上面の図柄層の上面には寒冷紗を用いた表皮層を透明性の接着剤で接着しても良い。
【００１２】
また、表皮層を省いた場合には、最上面の図柄層が最表面となるので、当該図柄層が際立ち、当該図柄層にピント（フォーカス）があった表現ができる。
【００１３】
請求項３に記載の本発明の寒冷紗を用いた染め貼り絵布は、木綿製の寒冷紗による基布層を底面とし、該底面に複数の絵柄を配置した図柄層を透明性の接着剤で接着し、更に該図柄層の上面に木綿製の寒冷紗による表布層を透明性の接着剤で接着した寒冷紗を用いた染め貼り絵布において、前記基布層は寒冷紗を台紙として該台紙に背景色、背景絵柄、薄色の淡色等に彩色を施し、又は該台紙の生地色とし、前記図柄層は木綿製の寒冷紗を台紙として該台紙に絵柄の彩色を施し、又は木綿製の寒冷紗を花柄、葉っぱ、茎、枝、細幅のテープ状、木綿糸形状等の部品に切断した絵柄のいずれかを複数個選択して彩色を施し該選択した複数個の絵柄を木綿製の寒冷紗の台紙に配置して接着剤で接着し若しくは前記基布層に配置して接着し、前記表布層は寒冷紗を台紙として該台紙に絵柄の彩色を施し、又は該表皮層の台紙の生地色とした、ことを特徴とする。
【００１４】
すなわち、請求項３の本発明は、木綿製の寒冷紗を素材として、該寒冷紗を基布層、図柄層、及び表皮層として、積層したものである。また、図柄層としては、寒冷紗を台紙として該台紙に花柄等を彩色するか、又は寒冷紗を花柄等の部品に切断して寒冷紗の台紙に接着剤で接着する（すなわち、貼付する）、又は該寒冷紗の花柄を前記基布層に接着剤で貼付するものである。
【００１５】
換言すると、木綿製の寒冷紗による基布層と、複数の花柄、葉っぱ、茎、テープ状の絵柄、等の絵柄を配置した図柄層と、更に、木綿製の寒冷紗による表皮層とを準備して、該基布層に図柄層を透明性の接着剤で接着し、更に図柄層の上面に表皮層を透明性の接着剤で接着したものである。また、基布層に背景色等を配置し、図柄層には、染め貼り絵布のメインテーマである絵柄を配置し、更に表皮層には絵柄を配置することもできる。
【００１６】
尚、本願発明で使用する彩色と言う用語は、色をつける、と言う広い意味の用語であり、絵の具による彩色、インクジェットプリンタの印刷による彩色等を含むものである。
【００１７】
請求項４に記載の本発明の寒冷紗を用いた染め貼り絵布は、前記請求項３記載の寒冷紗を用いた染め貼り絵布において、最底面に木綿製の寒冷紗による基布層を透明性の接着剤で接着した、ことを特徴とする。
【００１８】
すなわち、請求項４の本発明は、前記請求項３に対して、最底面に基布層を追加したものである。当該基布層の追加は、立体に仕上げるときの強度（張り）が必要なとき、又は照明の強度で光ばかり強調されて色彩や絵柄の効果が消えてしまう場合に光を調整して絵柄の効果を生かすために、基布層を追加するものである。
【００１９】
請求項５に記載の本発明の寒冷紗を用いた染め貼り絵布は、木綿製の寒冷紗による基布層と複数の絵柄を配置した図柄層とを透明性の接着剤で接着して単層とし、該単層を複数枚重ねて透明性の接着剤で接着して積層した寒冷紗を用いた染め貼り絵布であって、前記積層された基布層のうち選択された１枚の基布層を底面とし、且つ最上層には更に木綿製の寒冷紗による表皮層を接着したことを特徴とする。
【００２０】
すなわち、請求項５の本発明は、木綿製の寒冷紗を素材とする基布層と、図柄層とを接着して単層とし、該単層を複数毎重ねて積層して、最上面には表皮層を接着した染め貼り絵布である。また、図柄層としては、寒冷紗を台紙として該台紙に花柄等を彩色するか、又は寒冷紗を花柄等の部品に切断して寒冷紗の台紙に接着剤で接着する（すなわち、貼付する）、又は該寒冷紗の花柄を前記基布層に接着剤で貼付するものである。
【００２１】
請求項６に記載の本発明の寒冷紗を用いた染め貼り絵布は、前記請求項５に記載の寒冷紗を用いた染め貼り絵布において、前記基布層は寒冷紗を台紙として該台紙に背景色、背景絵柄、薄色の淡色等に彩色を施し、又は該台紙の生地色とし、前記図柄層は木綿製の寒冷紗を台紙として該台紙に絵柄の彩色を施し、又は木綿製の寒冷紗を花柄、葉っぱ、茎、枝、細幅のテープ状、木綿糸形状等の部品に切断した絵柄のいずれかを複数個選択して彩色を施し該選択した複数個の絵柄を木綿製の寒冷紗の台紙に配置して接着剤で接着し若しくは前記基布層に配置して接着し、前記表布層は寒冷紗を台紙として該台紙に絵柄の彩色を施し、又は該表皮層の台紙の生地色とした、ことを特徴とする。
【００２２】
すなわち、請求項６の本発明は、木綿製の寒冷紗を素材として、該寒冷紗を基布層、図柄層、及び表皮層として、積層したものである。また、図柄層としては、寒冷紗を台紙として該台紙に花柄等を彩色するか、又は寒冷紗を花柄等の部品に切断して寒冷紗の台紙に接着剤で接着する（すなわち、貼付する）、又は該寒冷紗の花柄を前記基布層に接着剤で貼付するものである。
【００２３】
請求項７に記載の本発明の寒冷紗を用いた染め貼り絵布は、前記請求項６記載の寒冷紗を用いた染め貼り絵布において、最底面に木綿製の寒冷紗による基布層を透明性の接着剤で接着した、ことを特徴とする。
【００２４】
すなわち、請求項７の本発明は、前記請求項６に対して、最底面に基布層を追加したものである。当該基布層の追加は、立体に仕上げるときの強度（張り）が必要なとき、又は照明の強度で光ばかり強調されて色彩や絵柄の効果が消えてしまう場合に光を調整して絵柄の効果を生かすために、基布層を追加するものである。
【発明の効果】
【００２５】
本発明の寒冷紗を用いた染め貼り絵布は、以上の説明から、以下に記載されるような効果を奏する。すなわち、
１．寒冷紗を素材として用いることにより、透ける効果のある貼り絵布、又は光を通す貼り絵布とすることができる。
２．寒冷紗の薄布にデザイン（意匠）を施して、該寒冷紗を透明性の接着剤で積層（すなわち、重ね合わせ）することで、絵入りの１枚布に仕上げることができる。
３．また、１枚布に仕上げることで透過性を増す働きがあり、ある程度の強度と柔軟性を併せ持つので加工も容易である。
４．ガラス質が持つような透過性がある。
５．紙の持つ柔軟性がある。
６．布のように縫い合わせ加工ができる。
７．意図するデザイン（意匠）の図柄を表現できる。
８．粗い綿素材である寒冷紗を用いるので、素朴な風合いを出すデザインとすることができる。
【００２６】
９．また、本発明の寒冷紗を用いた染め貼り絵布は、寒冷紗の番手の種々組合せ、及び絵布の裏側の光源の光度との組合せにより、裏側の光源からの露光の効果を変化させることができるので、絵布に応じた美麗な効果を生み出すことができる。
１０．また、本発明は、光を透過する材料である寒冷紗を使用することにより、絵布の裏側の光源からの光を表側へ透過することにより、貼付等された絵画、模様等を浮き出させて美麗な美的なものとすることができる。
【発明を実施するための最良の形態】
【００２７】
以下に、本発明の実施をするための最良の形態を図面に基づいて説明する。
【００２８】
図１は、本発明の寒冷紗を用いた染め貼り絵布の一実施例を説明する斜視図である。図２は、図１の側面図である。図３は、図２の基布層と図柄層とを重ねて単層とし、該単層を複数枚重ねて積層した寒冷紗を用いた染め貼り絵布の側面図である。図４は、本発明の寒冷紗を用いた染め貼り絵布の他の実施例を説明する斜視図である。図５は、図４の側面図である。図６は、図５の基布層と図柄層とを重ねて単層とし、該単層を複数枚重ねて積層した寒冷紗を用いた染め貼り絵布の側面図である。
【００２９】
次に、図１〜図３により本発明の寒冷紗を用いた染め貼り絵布の一実施例を説明する。
【００３０】
図１、２に示すように、本発明の寒冷紗を用いた染め貼り絵布は、寒冷紗による基布層１と絵柄を配置した図柄層２とを積層（すなわち、積み重ねること。）したものである。また、該図柄層2の上面に表皮層３を重ねたものである。また、寒冷紗による基布層１を底面とし、該基布層１に複数の絵柄２ａ，２ｂ，２ｃ，２ｄ，２ｅ，２ｆ，…を配置した図柄層２とを透明性の接着剤で該基布層１に接着して（すなわち、貼付して）積層し、該図柄層2の上面に表皮層３を透明性の接着剤で該図柄層２に接着して重ねたものである。また、前記表皮層３を省いて、基布層１と図柄層２からなる寒冷紗を用いた染め貼り絵布としても良い。
【００３１】
また、前記基布層１の下面に基布層１０１を追加して、該追加の基布層１０１を透明性の接着剤で該基布層１に接着して（すなわち、貼付して）積層する場合もある。すなわち、当該基布層１０１の追加は、立体に仕上げるときの強度（張り）が必要なとき、又は照明の強度で光ばかり強調されて色彩や絵柄の効果が消えてしまう場合に光を調整して絵柄の効果を生かすために、基布層１０１を追加するものである。
【００３２】
また、図３に示すように、寒冷紗による基布層１を底面とし、該基布層１に複数の絵柄２ａ，２ｂ，２ｃ，２ｄ，２ｅ，２ｆ，…を配置した図柄層２とを透明性の接着剤で該基布層１に接着して第１の単層とし、該第１の単層に寒冷紗による基布層１１を透明性の接着剤で接着し、更に該基布層１１に複数の絵柄を配置した図柄層２１を透明性の接着剤で接着して第２の単層（基布層１１と図柄層２１からなる）とし、更に前記図柄層２１の上面に透明性の接着剤で寒冷紗による表皮層３を接着して重ねたものである。図３では、第１の単層（基布層１と図柄層２からなる）と第２の単層（基布層１１と図柄層２１からなる）からなる２層の場合を説明したが、第２の単層の上面に第３の単層（基布層と図柄層からなる）を重ね、更に第４の単層（基布層と図柄層からなる）を重ねる、等と順次単層（基布層と図柄層からなる）を重ねていって、最後に表皮層３を接着しても良い。尚、前記表皮層３は、省いても良い。
【００３３】
前記表皮層３を省いた場合には、上面の図柄層２１が表面となるので、当該図柄層２１が際立ち、当該図柄層２１にピント（フォーカス）があった表現ができる。
【００３４】
また、前記基布層１の下面に基布層１０１を追加して、該追加の基布層１０１を透明性の接着剤で該基布層１に接着して（すなわち、貼付して）積層する場合もある。すなわち、当該基布層１０１の追加は、立体に仕上げるときの強度（張り）が必要なとき、又は照明の強度で光ばかり強調されて色彩や絵柄の効果が消えてしまう場合に光を調整して絵柄の効果を生かすために、基布層１０１を追加するものである。
【００３５】
また、以下の構成による寒冷紗を用いた染め貼り絵布もある。すなわち、寒冷紗による基布層１、１１、…を複数個準備し、更に複数の花柄、葉っぱ、茎、テープ状の絵柄、等の絵柄を配置した図柄層２、２１、…を複数個準備して、１枚の基布層１を底面にし、その上面に複数の基布層及び複数の図柄層をランダム（順不同）に透明性の接着剤で接着して積層したものである。また、最上面の図柄層の上面には寒冷紗を用いた表皮層３を透明性の接着剤で接着しても良い。換言すると、本発明の寒冷紗を用いた染め貼り絵布は、木綿製の寒冷紗による複数の基布層１，１１、…と複数の絵柄２ａ，２ｂ，２ｃ，２ｄ，２ｅ，２ｆ，…を配置した複数の図柄層２，２１、…とを透明性の接着剤で接着して積層したことを特徴とするものである。
【００３６】
更に、以下の構成による寒冷紗を用いた染め貼り絵布もある。すなわち、木綿製の寒冷紗による基布層１を底面とし、該底面に複数の絵柄を配置した図柄層２を透明性の接着剤で接着し、更に該図柄層２の上面に木綿製の寒冷紗による表布層３を透明性の接着剤で接着した寒冷紗を用いた染め貼り絵布において、前記基布層１は寒冷紗を台紙として該台紙に背景色、背景絵柄、薄色の淡色等に彩色を施し、又は該台紙の生地色とし、前記図柄層２は木綿製の寒冷紗を台紙として該台紙に絵柄の彩色を施し、又は木綿製の寒冷紗を花柄２ａ，２ｂ、葉っぱ２ｃ、茎２ｄ、枝、細幅のテープ状２ｅ、木綿糸形状２ｆ等の部品に切断した絵柄のいずれかを複数個選択して彩色を施し該選択した複数個の絵柄を木綿製の寒冷紗の台紙に配置して接着剤で接着し若しくは前記基布層１に配置して接着し、前記表布層３は寒冷紗を台紙として該台紙に絵柄の彩色を施し、又は該表皮層３の台紙を生地色とした、ものである。
【００３７】
尚、図１〜図３では、基布層１，１１に透明性の接着剤で図柄層２，２１の絵柄２ａ，２ｂ，２ｃ，２ｄ，２ｅ，２ｆ，…を貼付した場合を説明したが、図４〜図６に示すように、絵柄４ａ，４ｂ，４ｃ，…を寒冷紗による台紙に透明性の接着剤により貼付して図柄層２，２１としても良い。また、図４〜図６における絵柄４ａ，４ｂ，４ｃ，…を図１〜図３の絵柄２ａ，２ｂ，２ｃ，２ｄ，２ｅ，２ｆ，…に替えても良い。
【００３８】
また、基布層１及び表皮層３は木綿製又は化繊製の寒冷紗を使用し、該寒冷紗に背景色等を布染め用絵の具又はアクリル絵の具で彩色したり、又は生地色で使用したりする。また、図柄層２を構成する絵柄２ａ，２ｂ，２ｃ，２ｄ，２ｅ，２ｆ，…は木綿製又は化繊製の寒冷紗を使用し、当該絵柄を布染め用絵の具又はアクリル絵の具で彩色し、当該絵柄を前記基布層１に透明性の接着剤で貼付したものである。また、図４〜図６に示すように、当該絵柄２ａ，２ｂ，２ｃ，２ｄ，２ｅ，２ｆ，…を寒冷紗による台紙に透明性の接着剤で貼付して図柄層２としても良い。尚、図４〜図６の基布層１、１１、表皮層３、及び図柄層４，４１においても前記と同様である。
【００３９】
本発明の寒冷紗を用いた染め貼り絵布に使用する素材について説明する。基布層１、表皮層３及び図柄層２の台紙として使用する寒冷紗は、織り目の粗い木綿製が良い。化繊の寒冷紗もあるが、本発明では、透明感のある素材で彩色したときに素朴な味を出す素材として、木綿製の寒冷紗を推奨する。
【００４０】
また、本発明に使用する寒冷紗では、木綿製を推奨する理由は、化繊に対して、木綿製は、図柄層を構成する絵柄に着色を施す際に、布染め絵の具又は水性絵の具を使用するときに、寒冷紗に対して着色しやすいので、木綿製が適切である。
【００４１】
また、当該木綿製の寒冷紗では、織り目が粗くて厚みのある生地は染めて主として台紙に使用し、織り目が細かく薄い生地は染める又は描いて図案部分（すなわち、花柄等のデザインなど）に使用し、織り目が最も粗く薄い生地は奥行きを出すなどのために表皮層等に使用する。また、木綿糸を染めてデザインに必要な線を描く。また、彩色のために、布染め用の絵の具やアクリル絵の具を使用する。また、接着剤は、水性接着剤で乾くと透明度を増すものを使用する。上記の説明は、図１〜図３について説明したが、図４〜図６についても同様である。
【００４２】
ここで、前記絵柄について説明する。図１に示すように、２ａは花柄，２ｂは花柄，２ｃは葉っぱ，２ｄは茎，２ｅは細幅のテープ状の部品で草木等，２ｆは木綿糸形状の部品で草木等，であるが、絵柄の説明のために例示的に説明したものであり、前記の内容に限定するものではない。以下の図柄層の説明においても同じである。
【００４３】
また、図１〜図３において、基布層１、１１、１０１、図柄層２、２１、表皮層３を接着剤で接着して貼り合わせて一体化する過程で、加熱プレス、アイロン等の熱板により加圧することにより美麗な仕上げになる。以下、図４〜図６においても同様である。
【００４４】
また、前記の説明では、寒冷紗を用いた染め貼り絵布の基布層１，１１、１０１、絵柄２ａ，２ｂ，２ｃ，…、図柄層２，２１、表皮層３、…、の彩色を布染め用の絵の具またはアクリル絵の具で彩色しているが、当該寒冷紗を用いた染め貼り絵布では、パソコンで使用するインクジェットプリンタでカラー印刷して彩色しても良い。すなわち、基布層１等の背景をインクジェットプリンタで印刷して彩色したり、及び図柄層２を構成する絵柄２ａ，２ｂ，２ｃ，…、を作成するに当たり、寒冷紗に絵柄をインクジェットプリンタで印刷して彩色し、その後当該絵柄を切り取って、絵柄２ａ，２ｂ，２ｃ，…、としてもよい。以下、図４〜図６においても同様である。
【００４５】
再度説明すると、本願発明で使用する彩色と言う用語は、寒冷紗に布染め用の絵の具またはアクリル絵の具で彩色したり、パソコンで使用するインクジェットプリンタでカラー印刷して彩色したりする場合等も含む用語であり、すなわち、広い意味で使用するものであり、色をつける、と言う意味である。
【００４６】
次に、図４〜図６により本発明の寒冷紗を用いた染め貼り絵布の他の実施例を説明する。
【００４７】
図４、５に示すように、本発明の寒冷紗を用いた染め貼り絵布は、寒冷紗による基布層１と絵柄を配置した図柄層４とを積層（すなわち、積み重ねること。）したものである。また、該図柄層４の上面に表皮層３を重ねたものである。また、図柄層４は、寒冷紗を素材とする台紙に複数の絵柄４ａ，４ｂ，４ｃ，…を透明性の接着剤で貼付して配置したものであり、前記基布層１を底面とし、該基布層１に複数の絵柄４ａ，４ｂ，４ｃ，…を配置した図柄層４とを透明性の接着剤で該基布層１に接着して積層し、該図柄層４の上面に表皮層３を透明性の接着剤で該図柄層４に接着して重ねたものである。また、前記表皮層３を省いて、基布層１と図柄層４からなる寒冷紗を用いた染め貼り絵布としても良い。
【００４８】
また、前記基布層１の下面に基布層１０１を追加して、該追加の基布層１０１を透明性の接着剤で該基布層１に接着して（すなわち、貼付して）積層する場合もある。すなわち、当該基布層１０１の追加は、立体に仕上げるときの強度（張り）が必要なとき、又は照明の強度で光ばかり強調されて色彩や絵柄の効果が消えてしまう場合に光を調整して絵柄の効果を生かすために、基布層１０１を追加するものである。
【００４９】
また、図６に示すように、寒冷紗による基布層１を底面とし、該基布層１に複数の絵柄４ａ，４ｂ，４ｃ，…を配置した図柄層４とを透明性の接着剤で該基布層１に接着して第１の単層とし、該第１の単層に寒冷紗による基布層１１を透明性の接着剤で接着し、更に該基布層１１に複数の絵柄を配置した図柄層４１を透明性の接着剤で接着して第２の単層（基布層１１と図柄層４１からなる）とし、更に前記図柄層４１の上面に透明性の接着剤で寒冷紗による表皮層３を接着して重ねたものである。図６では、第１の単層（基布層１と図柄層４からなる）と第２の単層（基布層１１と図柄層４１からなる）からなる２層の場合を説明したが、第２の単層の上面に第３の単層（基布層と図柄層からなる）を重ね、更に第４の単層（基布層と図柄層からなる）を重ねる、等と順次単層（基布層と図柄層からなる）を重ねていって、最後に表皮層３を接着しても良い。尚、前記表皮層３は、省いても良い。
【００５０】
前記表皮層３を省いた場合には、上面の図柄層４１が表面となるので、当該図柄層４１が際立ち、当該図柄層４１にピント（フォーカス）があった表現ができる。
【００５１】
また、前記基布層１の下面に基布層１０１を追加して、該追加の基布層１０１を透明性の接着剤で該基布層１に接着して（すなわち、貼付して）積層する場合もある。すなわち、当該基布層１０１の追加は、立体に仕上げるときの強度（張り）が必要なとき、又は照明の強度で光ばかり強調されて色彩や絵柄の効果が消えてしまう場合に光を調整して絵柄の効果を生かすために、基布層１０１を追加するものである。
【００５２】
また、上記を簡単に説明すると、本発明の他の実際例である寒冷紗を用いた染め貼り絵布は、木綿製の寒冷紗による基布層１と複数の絵柄を配置した図柄層４とを透明性の接着剤で接着して単層とし、該単層を複数枚重ねて透明性の接着剤で接着して積層し、最上層には更に木綿製の寒冷紗による表皮層３を接着してなることを特徴とするものである。
【００５３】
また、以下の構成による寒冷紗を用いた染め貼り絵布もある。すなわち、寒冷紗による基布層１、４１、…を複数個準備し、更に複数の顔形状４ａ、草木４ｂ、芝生４ｃ、等の絵柄を配置した図柄層４、４１、…を複数個準備して、１枚の基布層１を底面にし、その上面に複数の基布層及び複数の図柄層をランダム（順不同）に透明性の接着剤で接着して積層したものである。また、最上面の図柄層の上面には寒冷紗を用いた表皮層３を透明性の接着剤で接着しても良い。換言すると、本発明の寒冷紗を用いた染め貼り絵布は、木綿製の寒冷紗による複数の基布層１，１１、…と複数の絵柄４ａ，４ｂ，４ｃ，…を配置した複数の図柄層４，４１、…とを透明性の接着剤で接着して積層したことを特徴とするものである。
【００５４】
更に、以下の構成による寒冷紗を用いた染め貼り絵布もある。すなわち、木綿製の寒冷紗による基布層１を底面とし、該底面に複数の絵柄４ａ、４ｂ、４ｃ、…を配置した図柄層４を透明性の接着剤で接着し、更に該図柄層４の上面に木綿製の寒冷紗による表布層３を透明性の接着剤で接着した寒冷紗を用いた染め貼り絵布において、前記基布層１は寒冷紗を台紙として該台紙に背景色、背景絵柄、薄色の淡色等に彩色を施し、又は該台紙の生地色とし、前記図柄層４は木綿製の寒冷紗を台紙として該台紙に絵柄の彩色を施し、又は木綿製の寒冷紗を顔形状４ａ，草木４ｂ、芝生４ｃ等の部品に切断した絵柄のいずれかを複数個選択して彩色を施し該選択した複数個の絵柄を木綿製の寒冷紗の台紙に配置して接着剤で接着し若しくは前記基布層１に配置して接着し、前記表布層３は寒冷紗を台紙として該台紙に絵柄の彩色を施し、又は該表皮層３の台紙を生地色とした、ものである。
【００５５】
また、本発明の寒冷紗を用いた染め貼り絵布は、木綿製の寒冷紗による基布層１と複数の絵柄を配置した図柄層４とを透明性の接着剤で接着して単層とし、該単層を複数枚重ねて透明性の接着剤で接着して積層し、最上層には更に木綿製の寒冷紗による表皮層３を接着してなることを特徴とする寒冷紗を用いた染め貼り絵布において、前記基布層１、４１、…は寒冷紗を台紙として該台紙に背景色、背景絵柄、薄色の淡色等に彩色を施し、又は該台紙の生地色とし、前記図柄層４、４１、…は木綿製の寒冷紗を台紙として該台紙に絵柄の彩色を施し、又は木綿製の寒冷紗を花柄、葉っぱ、茎、枝、細幅のテープ状、木綿糸形状等の部品に切断した絵柄のいずれかを複数個選択して彩色を施し該選択した複数個の絵柄を木綿製の寒冷紗の台紙に配置して接着剤で接着し若しくは前記基布層１，１１、…に配置して接着し、前記表布層３は寒冷紗を台紙として該台紙に絵柄の彩色を施し、又は該表皮層３の台紙を生地色とした、ことを特徴とするものである。尚、図１〜図３では、図柄層の絵柄の例示として、絵柄２ａ，２ｂ，２ｃ，２ｄ，２ｅ，２ｆ，…であるが、図４〜図６では、絵柄４ａ，４ｂ，４ｃ，…であり、本発明ではいずれの絵柄を使用しても良い。
【産業上の利用可能性】
【００５６】
本発明は、絵画作品、タペストリー（壁掛け）、スクリーン、電気スタンドやフロア照明、行灯のシェード（カサ素材）、その他通常の絵画（コラージュ）作品、ブックカバー、カードケース、ワッペン状アクセサリー、小物入れなどに利用することができる。
【００５７】
また、本発明は、大型の照明オブジェ、ガラスの間仕切壁などから見ても違和感のないタペストリー、天井高壁面や吹き抜け壁面用に長い幕のようなデザインタペストリー、ライトボックス用のライトアート、薄型ＬＥＤライトパネルを使用したディスプレー、などにも利用することができる。
【図面の簡単な説明】
【００５８】
【図１】図１は、本発明の寒冷紗を用いた染め貼り絵布の一実施例を説明する斜視図である。
【図２】図２は、図１の側面図である。
【図３】図３は、図２の基布層と図柄層とを重ねて単層とし、該単層を複数枚重ねて積層した寒冷紗を用いた染め貼り絵布の側面図である。
【図４】図４は、本発明の寒冷紗を用いた染め貼り絵布の他の実施例を説明する斜視図である。
【図５】図５は、図４の側面図である。
【図６】図６は、図５の基布層と図柄層とを重ねて単層とし、該単層を複数枚重ねて積層した寒冷紗を用いた染め貼り絵布の側面図である。
【符号の説明】
【００５９】
１、１１、１０１  基布層
２、２１  図柄層
３  表皮層
４、４１  図柄層
２ａ，２ｂ，２ｃ，２ｄ，２ｅ，２ｆ，…  絵柄
４ａ，４ｂ，４ｃ，…  絵柄
【図１】
2008080544.tif 000003
【図２】
2008080544.tif 000004
【図３】
2008080544.tif 000005
【図４】
2008080544.tif 000006
【図５】
2008080544.tif 000007
【図６】
2008080544.tif 000008